(57)【要約】      （修正有）【課題】取り扱いが簡単で、安全で安心して使用でき、当たりが柔らかで、刺激が強すぎて痛みを与えず、心地よい刺激を与える指圧器を提供する。【解決手段】指圧器を使用する場合、初めは指圧器の中心の内側に向けていた指圧頭２で、数分間指圧し、個人差があるので左か右の、片方の指圧体１を手で、方向転換を行い指圧を行う。さらに、様子を観ながら身体を少し動かし、「ツボ」に当たる感覚が、良ければそのまま続行し、脊椎の両傍の懲りや痛みの場所が、少し外側にあるように思われたら指圧頭２の間隔を拡げ、残りの指圧体１を外側に向けることにより、適当な激激を与えることが出来る。指圧する場所を、数回移動することにより心地良い状態で指圧を行うことが出来る。【選択図】図１
0003175763.tif 000002
【実用新案登録請求の範囲】
【請求項１】
台座３の指圧体を入れる穴４に入れてある、左右の楕円形状の指圧体１の指圧頭２は、内側中心９に対して、それぞれ外側を向き、左右の指圧頭の間隔７ａが長くなり、左右の指圧の「ツボ」に対して一番広くなって指圧することを特徴とする指圧器。
【請求項２】
台座３の指圧体を入れる穴４に入れてある、左右の楕円形状の指圧体１の指圧頭２は、それぞれ内側中心９に向っており、左右の指圧頭の間隔７ｂが一番短くなって、左右の指圧する部処に対して、一番狭くなって指圧することを特徴とする指圧器。
【請求項３】
台座３の指圧体を入れる穴４に入れてある、左の楕円形状の指圧体１の指圧頭２は左外側を向く場合は、右の楕円形状の指圧体１の指圧頭２も、同じ方向の内側中心９に向いて、左右の指圧頭の間隔７ｃは、請求項１の７ａと請求項２の７ｂの中間の広さになり、左右の指圧する部処に対して指圧することを特徴とする指圧器。
【請求項４】
請求項１、請求項２、請求項３に記載してある、一台の指圧器で指圧のツボに対して、幅広く指圧出来るように指圧頭の間隔７、７ａ、７ｂ、７ｃを３段階に瞬時に変えることが出来るという特徴を有する指圧器。
【請求項５】
指圧体を入れる穴が楕円形４で、その中に小さな凹み５を設け、方向転換が、容易に出来るということを特徴とする指圧器。
【考案の詳細な説明】
【考案の詳細な説明】
【技術分野】
【０００１】  本考案は、ベットや床面の上などに、仰向きに寝た体の下に、２個の指圧体を台座と一体にした指圧器。後頭部・頚、背中や腰部などに当て自分の体重を懸け、血行を良くし、筋肉の懲りをほぐし、痛みや疲れを軽減しようとする指圧用具。
【背景技術】
【０００２】  台座に、指圧体と一体に構成して、指圧頭で「つぼ」を指圧する指圧器があり、構造もシンプルな物から、電気などの動力を使い、ネジやバネなどで高さの調節、左右の指圧等の間隔などが調節出来る物など、高価な物から安価なものまで色々な資材を使い、形、構造の違った取り扱いが簡単であるものや、複雑な指圧器がある。
【考案の概要】
【考案が解決しようとする課題】
【０００４】  指圧したい「ツボ」に対する指圧の刺激の量が強すぎて、痛みを増す場合などがあったり、指圧の効果の増大を求め、高価になり、還って取り扱いが複雑になり、使用法が難しくなる場合などがあるので、取り扱いが簡単で心地の良い刺激を与える指圧器を提供するのが課題である。
【課題を解決するための手段】
【０００５】  指圧器Ａ型図１０は、後頭部・後頸部、肩背部等に主に使用し、特に後頸部は解剖学的に少し、くぼんでいるため台座３の長い方の角は図１０、斜めにけずり丸身を持たせ、指圧の刺激がツボに当たるようにしてある。【０００６】  指圧器Ｂ型図１１は、背中や腰部、臀部から下肢に使用し、角を丸くしてある。【０００７】  指圧器Ａ型図１０、指圧器Ｂ型図１１を使用時、最初は左右の指圧器の中心９の内側に向いていた指圧体１の、左右の指圧頭の間隔７ｂは６０ｍｍで、数分間、本器を使用し使用者の、体格や痛みの程度に合わせ、左右の片方の指圧体１を手で、指圧体１の方向転換が出来るので外側に倒し、指圧頭間隔７ｃは７５ｍｍになる。
それで様子を観ながら、両方の指圧体１を外側にすることで、指圧頭の間隔７ａが９０ｍｍ程になり、その日の体調に合わせて、懲り感や痛みに対して心地良い、状態にして移動しながら使用します。使用法は、数分間で体得出来る。【０００８】  指圧器の刺激の強弱に関して：指圧器の高・低については、使用者の個人差があり、人により体格や運動量、指圧器Ａ型図１０・指圧器Ｂ型図１１、を使用する場所、
床面が堅いか柔らかいか、指圧頭２の材質、又使用する時期、夏の暑い時期か冬の寒い時期か、その他色々な条件が関係し、指圧頭２が低い場合は刺激が柔らかく、高い場合は強く成り、刺激の強い場合は、疼痛を感じる場合もある。
そのようなことが無いよう、指圧器Ａ型図１０・指圧器Ｂ型図１１は、刺激過剰にならないように、高さは成るだけ低くし当たりを柔らかくした。
台座の下から指圧頭までの高さは４７〜６０ｍｍ（指圧体を入れての高さ）、台座３の高さは、３０〜４０ｍｍである。【０００９】  指圧器Ａ型図１０・指圧器Ｂ型図１１、の刺激が弱い場合は、木製の板を指圧器の台座より、少し大きくして、厚さを１０ｍｍ程のものを、置物にして高低の調整を行う。【００１０】  身体と接触する指圧頭２の、身体に対する直径の大小による面積の刺激の量、というのは、同じ量の押圧の力で、指圧した場合には小さい面積の方が、生体に対する刺激の量は大きい為、指圧体１の直径は  ３０〜５０ｍｍ程が痛みを与えず、当たりを柔らかくなるようにした。【００１１】  指圧器Ａ型図１０・指圧器Ｂ型図１１、全体が総檜材を使い制作。木の持つぬくもり感と手触り感そして檜の香りの中、継続して使用出来るようにした。
【考案の効果】
【００１２】  体格の違いや色々な条件の違いなどによる個人差が有り、指圧器の左右の、指圧頭間隔７、図１の７ａ、図２の７ｂ、図３の７ｃ、を瞬時に変えることにより、懲り感や痛みのある「ツボ」に、当てることができ、心地良い刺激になり、効果があるようになった。【００１３】  指圧器Ａ型図１０、指圧器Ｂ型図１１を同時に使用することにより、一個の指圧器を使用する場合より時間を、短くすることが出来、途中で眠ることが無く、指圧器Ａ型図１０、指圧器Ｂ型図１１上で、チョット眠気が差し、同じ所を長い時間指圧したという状態が避けられ、鬱血や痛みが増すと言うことが無くなり、後頭部と腰部というように離れたツボを指圧することにより、血液の流れが良くなり生体の反応が良くなって痛みや懲りなどが軽くなり相乗効果があった。【００１４】  指圧器Ａ型図１０・指圧器Ｂ型図１１は、台座３を始め全体が木材で制作してあり、木の持つぬくもりと手触り、檜の香りなどがあり、  ローコストで制作でき提供出来る。
【図面の簡単な説明】
【００１５】
【図１】指圧器の正面図で左右の指圧体２は、左右とも、中心より外側を向いている。
【図２】指圧器の正面図で左右の指圧体２は左右とも、中心の内側を向いている。
【図３】指圧器の正面図で、左の指圧頭２が中心より外側へ向き、右の指圧頭は中心の内側へ向いている。
【図４】指圧器の平面図である。
【図５】指圧器Ａ型側面図、上面の角を斜めに削り、指圧時、台座の上面、角が指圧場所の上下にじやまされずに、「ツボ」に的確に当たるようにしてある。
【図６】指圧器Ａ型断面図
【図７】指圧器Ｂ型  背中・腰部に主に使用するため、上面の角を丸くしてある。
【図８】指圧器Ｂ型断面図。
【図９】ベット上に仰臥位になり、指圧を行っている概略図である。後頚部に、図１０の指圧器Ａ型で指圧をし、背中の肩甲間部に指圧器Ｂ型を置き、指圧を行っている。
【図１０】指圧器Ａ型斜視図。後頭部・後頚部に使用するため、上面の角を斜めに削り指圧時、台座の上面、角が指圧場所の上下にじやまされず、「ツボ」に的確に当たるようにしてある。
【図１１】指圧器Ｂ型斜視図。背中や腰部に使用するため、上面の角を丸くしてある。
【考案を実施するための形態】
【００１６】  以下図面に基づいて、本考案の実施形態を説明する。
【００１７】  図１は指圧器正面図で、左右の指圧体１は中心より外側を向いている。指圧体１は突起部の指圧頭２より、台座３にはめ込んでいる部分がすこし大きくなっており、長楕円形で有る。左右の指圧頭の間隔７ａは９０ｍｍである。
【００１８】  図２は指圧器正面図で、左右の指圧体１は中心の内側９を向いている。指圧体１は突起部の指圧頭２より、台座３にはめ込んでいる部分がすこし大きくなっており、左右の指圧頭間隔７ｂは６０ｍｍである。
【００１９】  図３は指圧器正面図で左右の指圧体１は、左の指圧頭２が中心より外側へ向き、右の指圧頭２は中心の内側９へ向いている。左右の指圧頭の間隔７ｃは７５ｍｍである。
【００２０】  指圧体を入れる穴・楕円形４の中ほどに、浅い凹み５を作ることにより、指圧体１を内側にしたり、外側に向きを変えようとする場合、手で行っても力を入れることなく、容易に一瞬の内に変更が出来る。
【００２１】  上記のように、懲りや痛みの部分に対して、使用者の体格や、使用時の体調や、気分又、季節による等、その他いろいろな条件の違いがある場合でも、手によって指圧体１を左右の間隔を変えることにより刺激を効率良く、懲りや痛みのある場所にとどき、心地良い刺激を与えることが出来る。
【００２２】  指圧器Ａ型図１０、指圧器Ｂ型図１１は作用も作りも全て同じで、指圧器Ａ型図１０は頭部・後頚部に主に使用し、解剖学的に湾曲しているため、図５のように、横の角が斜めにして有ると言うことが違うだけで、頸椎の「つぼ」に、台座３の上面の角が指圧する周りに当たらず、頸椎の「つぼ」に、指圧の刺激が当たるようになっている。
【００２３】  台座３の形は長方形で、材質は木製であるが、このほかに高齢者の方達のためには、軽い材料等も使用し、中空にしたものなどで負担を掛けないようにする。
【実施例１】
【００２４】  図９ベット上に仰臥位になり、指圧を行っている概略図である。指圧器Ａ型図１０は、少し堅めの、「枕」を後頭部・後頚部に置き、その上に指圧器を設置。指圧器Ｂ型図１１を肩甲間部あたり設置し、刺激が「ツボ」に当たるようにする。【００２５】  指圧器を使用する場合、初めは指圧器の中心の内側９に向けていた指圧頭２で、数分間指圧し、個人差があるので左か右の、片方の指圧体１を手で、方向転換を行い指圧をし様子を観ながら身体を少し動かし、「ツボ」に当たる感覚が、良ければそのまま続行し、脊椎の両傍の懲りや痛みの場所が、少し外側にあるように思われたら指圧頭７の間隔を拡げ、残りの指圧体１を外側に向けることにより、「ツボ」に激激を与えることが出来る。指圧する場所を、数回移動することにより心地良い状態で指圧を行うことが出来る。指圧器Ａ型図１０は、後頚部、肩背部など、指圧器Ｂ型図１１は、背中や腰部、などに使用する。
【符号の説明】
【００２６】  １  指圧体
２  指圧頭
３  台座
４  指圧体を入れる穴・楕円形
５  凹み  浅く小さい凹みである
６  押さえ上蓋  木製
７  指圧頭の間隔    ７ａ  ７ｂ  ７ｃ
８  上蓋・指圧体押さえ穴
９  内側・中心
１０  人体
【図１】
0003175763.tif 000003
【図２】
0003175763.tif 000004
【図３】
0003175763.tif 000005
【図４】
0003175763.tif 000006
【図５】
0003175763.tif 000007
【図６】
0003175763.tif 000008
【図７】
0003175763.tif 000009
【図８】
0003175763.tif 000010
【図９】
0003175763.tif 000011
【図１０】
0003175763.tif 000012
【図１１】
0003175763.tif 000013
【手続補正書】
【提出日】平成24年3月1日(2012.3.1)
【手続補正１】
【補正対象書類名】実用新案登録請求の範囲
【補正対象項目名】全文
【補正方法】変更
【補正の内容】
【実用新案登録請求の範囲】
【請求項１】
台座３の指圧体を入れる穴４に入れてある、左右の楕円形状の指圧体１の指圧頭２は、内側中心９に対して、それぞれ外側を向き、左右の指圧頭の間隔７ａが長くなり、左右の指圧のツボに対して一番広くなって指圧することを特徴とする指圧器。
【請求項２】
台座３の指圧体を入れる穴４に入れてある、左右の楕円形状の指圧体１の指圧頭２は、それぞれ内側中心９に向っており、左右の指圧頭の間隔７ｂが一番短くなって、左右の指圧する部処に対して、一番狭くなって指圧することを特徴とする請求項１記載の指圧器。
【請求項３】
台座３の指圧体を入れる穴４に入れてある、左の楕円形状の指圧体１の指圧頭２は左外側を向く場合は、右の楕円形状の指圧体１の指圧頭２も、同じ方向の内側中心９に向いて、左右の指圧頭の間隔７ｃは、請求項１の７ａと請求項２の７ｂの中間の広さになり、左右の指圧する部処に対して指圧することを特徴とする請求項１記載の指圧器。
【請求項４】
台座３の指圧体を入れる穴４の中に、小さな凹み５を設け、方向転換が容易に出来るように、してあることを特徴とする請求項１〜３のいずれか一項に記載の指圧器。